(57)【要約】      （修正有）【課題】大規模から小規模までユーザニーズに応じて柔軟に構成出来るストレージ装置を得る。【解決手段】複数のディスクドライブが整列されて収容されるディスクドライブ用ボックスと高さ及び幅が略等しい、前記ディスクドライブ用ボックスを収容するための第１の収容部と、前記ディスクドライブに対するデータ入出力処理に関する制御を行うための複数の制御ボードが整列されて収容される制御部用ボックスを収容するための、前記第１の収容部と高さ及び幅が略等しい第２の収容部とが設けられたストレージ装置用筐体。【選択図】      図８
2005011405.tif 000002
【特許請求の範囲】
【請求項１】
複数のディスクドライブが整列されて収容されるディスクドライブ用ボックスと高さ及び幅が略等しい、前記ディスクドライブ用ボックスを収容するための第１の収容部と、
前記ディスクドライブに対するデータ入出力処理に関する制御を行うための複数の制御ボードが整列されて収容される制御部用ボックスを収容するための、前記第１の収容部と高さ及び幅が略等しい第２の収容部と
が設けられたストレージ装置用筐体。
【請求項２】
前記ストレージ装置用筐体には、前記制御ボード及び前記ディスクドライブに電力を供給するための電源部を収容するための第３の収容部が設けられ、
前記第２の収容部の下部に前記第３の収容部が設けられること
を特徴とする請求項１に記載のストレージ装置用筐体。
【請求項３】
請求項２に記載のストレージ装置用筐体と、
前記第１の収容部に収容された前記ディスクドライブ用ボックスに収容された複数の前記ディスクドライブと、
前記第２の収容部に収容された前記制御部用ボックスに収容された複数の前記制御ボードと、
前記第３の収容部に収容された前記電源部と
を備えたストレージ装置。
【請求項４】
請求項２に記載のストレージ装置用筐体を複数備えたストレージ装置であって、
ある前記ストレージ装置用筐体には、
前記第１の収容部に、複数の前記ディスクドライブが収容された前記ディスクドライブ用ボックスが収容され、
前記第２の収容部に、複数の前記制御ボードが収容された前記制御部用ボックスが収容され、
前記第３の収容部に、前記電源部が収容され、
他の前記ストレージ装置用筐体には、
前記第１の収容部及び前記第２の収容部のそれぞれに、複数の前記ディスクドライブが収容された前記ディスクドライブ用ボックスが収容され、
前記第３の収容部に、前記電源部が収容されること
を特徴とするストレージ装置。
【請求項５】
前記電源部により前記制御ボード及び前記ディスクドライブに供給される電力は定格電圧が同一の直流電力であることを特徴とする請求項３または請求項４に記載のストレージ装置。
【発明の詳細な説明】
【０００１】
【発明の属する技術分野】
本発明は、ストレージ装置用筐体及びストレージ装置に関する。
【０００２】
【従来の技術】
情報処理システムにおいて記憶装置として用いられるストレージ装置は、ユーザのニーズに応じて小規模な構成から大規模な構成まで柔軟に構成できることが求められている。
そのため一般的にストレージ装置は、ディスクドライブを収容するための駆動装置と、ストレージ装置全体の制御を司る制御部を収容した制御装置とを別の筐体として構成し、必要に応じて駆動装置を増設することによりユーザのニーズに合わせた規模に変更することができるようになっている。
また搭載されるディスクドライブの数が少ない小規模な構成の場合には、ストレージ装置として必要最小限の機能を一つの筐体の中に収容した一体型装置として構成される場合もある。
【０００３】
【特許文献１】
特開平５−２０４４９３号公報
【０００４】
【発明が解決しようとする課題】
しかしながら従来のストレージ装置においては、制御装置、駆動装置、一体型装置の各筐体はそれぞれ専用に作られていたため、例えば一体型装置を用いた小規模なストレージ装置を、制御装置及び駆動装置を用いた大規模なストレージ装置に変更する場合に、それまで用いていた一体型装置の筐体を利用することができなかった。また異なった種類の筐体を製造しなければならないので、ストレージ装置のコストアップの要因となっていた。
本発明は上記課題を鑑みてなされたものであり、ストレージ装置用筐体及びストレージ装置を提供することを主たる目的とする。
【０００５】
【課題を解決するための手段】
上記課題を解決するために、本発明に係るストレージ装置用筐体は、複数のディスクドライブが整列されて収容されるディスクドライブ用ボックスと高さ及び幅が略等しい、前記ディスクドライブ用ボックスを収容するための第１の収容部と、前記ディスクドライブに対するデータ入出力処理に関する制御を行うための複数の制御ボードが整列されて収容される制御部用ボックスを収容するための、前記第１の収容部と高さ及び幅が略等しい第２の収容部とが設けられる。
その他、本願が開示する課題、及びその解決方法は、発明の実施の形態の欄、及び図面により明らかにされる。
【０００６】
【発明の実施の形態】
以下、本発明の実施の形態について図面を用いて詳細に説明する。
まず、従来のストレージ装置１１００の外観構成の概要について図１及び図２を参照しながら説明する。
図１に示す従来のストレージ装置１１００は、制御装置１１１０と駆動装置１１２０とを備えて構成される。図１に示す例では制御装置１１１０が中央に配置され、その左右に駆動装置１１２０が配置される。
【０００７】
制御装置１１１０はストレージ装置１１００全体の制御を司る。詳細は後述するが、制御装置１１１０にはストレージ装置１１００の全体の制御を司る論理部１４２０が収容される。また駆動装置１１２０にはデータを記憶するためのディスクドライブ１３１０が収容される。ストレージ装置１１００の規模を拡大する場合には駆動装置１１２０を増設するようにする。これによりユーザのニーズに合わせてストレージ装置１１００の記憶容量を柔軟に変更でき、拡張性の高いストレージ装置１１００を提供することができる。ディスクドライブ１３１０としては、例えばハードディスク装置や半導体記憶装置等様々なものを採用することができる。
【０００８】
一方図２に示す従来のストレージ装置１１００は、全体の制御を司る論理部１４２０と、データを記憶するためのディスクドライブ１３１０とが収容された一体型装置１１３０を備えて構成される。図２に示す構成のストレージ装置１１００は、ストレージ装置１１００として必要最小限の機能を一つの筐体内に収容したものである。図２には論理部１４２０が収容される側から見た場合の図が示される。ディスクドライブ１３１０は論理部１４２０とは反対側に収容される。以下、論理部１４２０が収容される側を前面側とも言う。またディスクドライブ１３１０が収容される側を後面側とも言う。
【０００９】
次に、図１及び図２に示した従来のストレージ装置１１００のそれぞれの詳細な構成について、図３乃至図６に示す六面図及び正面図を参照しながら説明する。図３は制御装置１１１０を示す六面図であり、図４は駆動装置１１２０を示す六面図であり、図５は一体型装置１１３０を示す六面図である。図６は制御装置１１１０と駆動装置１１２０と一体型装置１１３０とを比較するための図である。
【００１０】
まず、制御装置１１１０の構成について図３及び図６を参照しながら説明する。
制御装置１１１０は、論理モジュール１４００、電源モジュール１９００、ファン１５００、バッテリ１８００を制御装置用筐体１２００に収容して構成される。また制御装置１１１０にはストレージ装置１１００を保守管理するオペレータによる操作入力を受け付けるためのオペレータパネル１１１１が設けられている。
【００１１】
論理モジュール１４００は、制御装置用筐体１２００に着脱可能に収容されている。論理モジュール１４００はストレージ装置１１００の制御を行うための論理部１４２０及び論理モジュールファン１４１０を備えている。論理部１４２０には論理基板１４３０が装着されており、これによりストレージ装置１１００の各種制御が行われる。論理部１４２０に装着される論理基板１４３０としては、例えばストレージ装置１１００を記憶装置として利用する情報処理装置との間でデータ入出力のための通信を行うためのチャネルアダプタや、ディスクドライブ１３１０に記憶されるデータに対する入出力処理を行うディスクアダプタや、情報処理装置との間で授受されるデータを記憶するためのキャッシュメモリなどである。論理モジュールファン１４１０は論理部１４２０内部の空気を排出する。これにより論理部１４２０の内部を冷却することができる。詳細は後述するが、論理部１４２０から排出された空気は電源モジュール１９００の内部を通って、ファン１５００により制御装置１１１０の外部へ放出される。
【００１２】
電源モジュール１９００は、制御装置用筐体１２００に着脱可能に収容されている。電源モジュール１９００は、交流電力を直流電力に変換し、論理モジュール１４００に直流電力を供給するための電源装置を備える。論理モジュール１４００には用途に応じて複数の異なる電圧の直流電力を供給する必要があるため、それぞれの電圧に応じた電源装置が電源モジュール１９００に備えられる。例えば論理モジュールファン１４１０用に定格１２Ｖの直流電力を出力する電源装置が備えられる。また論理基板１４３０用に定格５Ｖや３．３Ｖの直流電力を出力する電源装置が備えられる。
【００１３】
ファン１５００は制御装置１１１０の内部の空気を外部に排出する。これにより電源モジュール１９００や論理モジュール１４００で発生した熱を制御装置１１１０の外部へ放出することができる。
バッテリ１８００は停電時や電源モジュール１９００の異常時等に、制御装置１１１０内部の各装置に電力を供給するための予備電源装置である。
【００１４】
図３に示すように、電源モジュール１９００、論理モジュール１４００、バッテリ１８００はそれぞれ、制御装置用筐体１２００の上段、中段、下段に収容される。また制御装置用筐体１２００の後面側も同様に、上段、中段、下段のそれぞれに電源モジュール１９００、論理モジュール１４００、バッテリ１８００が収容される。
【００１５】
次に、従来のストレージ装置１１００の駆動装置１１２０の構成について、図４及び図６を参照しながら説明する。
駆動装置１１２０は、ディスクドライブモジュール１３００、ＡＣ−ＢＯＸ１７００、ファン１５００を駆動装置用筐体１２１０に収容して構成される。
【００１６】
ディスクドライブモジュール１３００は、駆動装置用筐体１２１０に着脱可能に収容されている。ディスクドライブモジュール１３００は、データを記憶するためのディスクドライブ１３１０と、ＤＣ電源１６００と、ＰＢＣ（Ｐｏｒｔ  Ｂｙｐａｓｓ  Ｃｉｒｃｕｉｔ）１３２０とを収容している。ディスクドライブ１３１０は、内部に記録媒体を備えたデータを記憶するための装置である。ディスクドライブ１３１０としては、例えばハードディスク装置や半導体記憶装置等様々なものを採用することができる。ＤＣ電源１６００は、交流電力を直流電力に変換し、ディスクドライブ１３１０へ直流電力を供給するための電源装置である。ＰＢＣ１３２０は、制御装置１１１０が備える論理部１４２０とディスクドライブ１３１０との間の通信路を制御するための装置である。
【００１７】
ＡＣ−ＢＯＸ１７００はストレージ装置１１００に対する交流電力の取り入れ口であり、ブレーカとして機能する。ＡＣ−ＢＯＸ１７００に取り入れられた交流電力は、ディスクドライブモジュール１３００のＤＣ電源１６００や、制御装置１１１０の電源モジュール１９００に供給される。
【００１８】
ファン１５００は駆動装置１１２０内部の空気を外部に排出する。これによりディスクドライブモジュール１３００で発生した熱を駆動装置１１２０の外部へ放出することができる。
【００１９】
図４に示す例では、ディスクドライブモジュール１３００は駆動装置用筐体１２１０に４段に積層されて収容されている。そしてディスクドライブモジュール１３００の上部にファン１５００が備えられ、下部にＡＣ−ＢＯＸ１７００が備えられる。また駆動装置用筐体１２１０の後面側も同様に、ディスクドライブモジュール１３００が４段に積層されて収容され、その上部にファン１５００が、そして下部にＡＣ−ＢＯＸ１７００が備えられる。
【００２０】
次に、従来のストレージ装置１１００の一体型装置１１３０の構成について、図５及び図６を参照しながら説明する。
一体型装置１１３０は、一体型装置用筐体１２２０の前面側に論理モジュール１４００、電源モジュール１９００、ファン１５００及びバッテリ１８００を収容し、後面側にディスクドライブモジュール１３００、ＡＣ−ＢＯＸ１７００、及びファン１５００を収容して構成される。これらの各モジュール等は制御装置１１１０及び駆動装置１１２０において収容されるものと同様である。そしてこれらの各モジュール等の収容位置も、それぞれ制御装置１１１０、駆動装置１１２０と同様である。また制御装置１１１０や駆動装置１１２０と同様、これらの各モジュール等は一体型装置用筐体１２２０に着脱可能に収容される。
【００２１】
このように一体型装置１１３０には、一体型装置用筐体１２２０に制御装置１１１０及び駆動装置１１２０に収容される各モジュール等が収容されているので、一体型装置１１３０によりストレージ装置１１００を構成することができる。
【００２２】
次に、上記に説明した制御装置１１１０、駆動装置１１２０、一体型装置１１３０について、図６及び図７を参照しながらそれぞれの違いを説明する。なお図６の左側に示した図は制御装置１１１０を示すが、一体型装置１１３０の前面側についても同様である。また図６の右側に示した図は駆動装置１１２０を示すが、一体型装置１１３０の後面側についても同様である。そのため図６に示した制御装置１１１０と駆動装置１１２０との違いを説明することにより、制御装置１１１０、駆動装置１１２０、一体型装置１１３０のそれぞれの違いが説明される。
【００２３】
制御装置１１１０は、大きく上段、中段、下段の３段に区分けされている。上段に電源モジュール１９００が収容され、中段に論理モジュール１４００が収容され、下段にバッテリ１８００が収容される。これらの各モジュール等を収容するための制御装置用筐体１２００は、上部仕切部１２０１、下部仕切部１２０２を備え、これらの仕切部により各モジュール等が区分けして収容される。
【００２４】
駆動装置１１２０は、ディスクドライブモジュール１３００が４段に積層され、その上部にファン１５００が、そして下部にＡＣ−ＢＯＸ１７００が配設される。また各ディスクドライブモジュール１３００にそれぞれ収容されるディスクドライブ１３１０は４段に積層されて収容される。これらの各モジュール等を収容するための駆動装置用筐体１２１０は、上部仕切部１２１１、中部仕切部１（１２１２）、中部仕切部２（１２１３）、下部仕切部１２１４を備え、これらの仕切部により各モジュール等が区分けして収容される。なお図６に示す例では、ファン１５００とディスクドライブモジュール１３００との間には仕切部は設けられていないが、仕切部を設けるようにすることもできる。
【００２５】
図６に示すように、制御装置用筐体１２００と駆動装置用筐体１２１０とではそれぞれ仕切部の位置が異なっている。この要因の一つは、図７に示すように、論理モジュール１４００の高さ及び幅とディスクドライブモジュール１３００の高さ及び幅とがそれぞれ異なるためである。
【００２６】
このため、従来のストレージ装置１１００においては、制御装置用筐体１２００、駆動装置用筐体１２１０、一体型装置用筐体１２２０をそれぞれ専用に製造する必要があり、またストレージ装置１１００を運用、管理するユーザは、ストレージ装置１１００の構成を変更する際に、新たに筐体を購入する必要があった。そのためこれらのストレージ装置１１００用の筐体の共通化が求められていた。
【００２７】
本実施の形態に係るストレージ装置１００においては、ストレージ装置１００用の筐体（ストレージ装置用筐体）２００の共通化が図られている。まず本実施の形態に係るストレージ装置１００の外観構成を図８及び図９に示す。
図８に示す本実施の形態に係るストレージ装置１００は、制御装置１１０と駆動装置１２０とを備えて構成される。図８に示す例では制御装置１１０が中央に配置され、その左右に駆動装置１２０が配置されている。
【００２８】
制御装置１１０はストレージ装置１００全体の制御を司る。詳細は後述するが、制御装置１１０にはストレージ装置１００の全体の制御を司る論理部４２０が収容される。またデータを記憶するためのディスクドライブ３１０も収容される。さらにＤＣ電源６００やバッテリ８００、ＡＣ−ＢＯＸ７００も収容される。制御装置１１０の後面側も同様である。
【００２９】
一方駆動装置１２０には、データを記憶するためのディスクドライブ３１０が収容される。さらにＤＣ電源６００やバッテリ８００、ＡＣ−ＢＯＸ７００も収容される。駆動装置１２０の後面側も同様である。ストレージ装置１００の規模を拡大する場合には駆動装置１２０を増設するようにする。これによりユーザのニーズに合わせてストレージ装置１００の記憶容量を柔軟に変更でき、拡張性の高いストレージ装置１００を提供することができる。
【００３０】
また図９に示すストレージ装置１００は、全体の制御を司る論理部４２０、データを記憶するためのディスクドライブ３１０、ＤＣ電源６００、バッテリ８００、ＡＣ−ＢＯＸ７００が収容された一体型装置１３０を備えて構成される。図９に示す構成のストレージ装置１００は、ストレージ装置１００として必要最小限の機能を一つの筐体内に収容したものである。後面側も同様である。本実施の形態に係る一体型装置１３０は、図８に示した制御装置１１０と同様の構成となっている。
【００３１】
次に、これらの制御装置１１０、駆動装置１２０、一体型装置１３０が、共通の筐体２００を用いてそれぞれどのように構成されるのかを図１０乃至図１２を参照しながら説明する。
【００３２】
図１０は、制御装置１１０、駆動装置１２０、及び一体型装置１３０が共通に備える構成を示す図である。すなわち、複数のディスクドライブ３１０が整列されて収容されるディスクドライブモジュール（ディスクドライブ用ボックス）３００が筐体２００の上段（第１の収容部）に収容され、下段（第３の収容部）にはバッテリ８００、ＡＣ−ＢＯＸ７００、ＤＣ電源８００が収容される。なお、バッテリ８００、ＡＣ−ＢＯＸ７００、ＤＣ電源８００は電源部に相当する。もちろん電源部は、これらうちの少なくともいずれかにより構成されるようにすることもできるし、これら以外にも構成要素を含むようにすることもできる。またディスクドライブモジュール３００の上部にはファン５００が配設される。なお中段（第２の収容部）には、制御装置１１０又は一体型装置１３０の場合には論理モジュール（制御部用ボックス）４００が収容され、駆動装置１２０の場合にはディスクドライブモジュール３００が収容される。
【００３３】
このように筐体２００の上段の高さ及び幅は、それぞれディスクドライブモジュール３００の高さ及び幅と略等しいように作られており、そのために、上段にディスクドライブモジュール３００を収容することができる。
なお上段のディスクドライブモジュール３００は、着脱可能に筐体２００に収容されている。そしてディスクドライブ３１０は着脱可能にディスクドライブモジュール３００に収容されている。下段のバッテリ８００、ＡＣ−ＢＯＸ７００、及びＤＣ電源８００も着脱可能に筐体２００に収容されている。
筐体２００の上記上段、中段、及び下段は、上部仕切部２０１及び下部仕切部２０２により区切られている。
【００３４】
制御装置１１０及び一体型装置１３０は、筐体２００の中段に論理モジュール４００を収容することにより構成することができる。その様子を図１１に示す。
【００３５】
また駆動装置１２０は、筐体２００の中段にディスクドライブモジュール３００を収容することにより構成することができる。その様子を図１２に示す。筐体２００の中段に収容されるディスクドライブモジュール３００は、筐体２００の上段に収容されるディスクドライブモジュール３００と同一のものである。
【００３６】
本実施の形態に係る筐体２００においては、上段と中段との高さ及び幅が、それぞれ略等しく作られている。これにより、中段には論理モジュール４００のみならず、ディスクドライブモジュール３００をも収容することができる。
これにより、例えばストレージ装置１００の規模を拡大する場合等には、それまで一体型装置１３０用として利用していた筐体２００を駆動装置１２０用として利用するようにすることも可能となる。なお図１１及び図１２には、筐体２００の中段に論理モジュール４００とディスクドライブモジュール３００とのどちらも収容できる場合の例を示したが、筐体２００の中段のみならず上段にも、どちらのモジュールも収容できるようにすることもできる。またどちらのモジュールも収容できるのは、中段のみ、あるいは上段のみとするようにすることもできる。
このように本実施の形態においては、制御装置１１０、駆動装置１２０、一体型装置１３０はいずれも共通の筐体２００を用いて構成することができる。
【００３７】
本実施の形態に係るストレージ装置１００において、筐体２００の上段と中段との高さ及び幅がそれぞれ略等しく作られていることを示す図を図１３に示す。また論理モジュール４００とディスクドライブモジュール３００との高さ及び幅を比較するための図を図１４に示す。また制御装置１１０及び一体型装置１３０の詳細な構成を示す六面図を図１５に示す。そして駆動装置１２０の詳細な構成を示す六面図を図１６に示す。
【００３８】
まず本実施の形態に係る制御装置１１０及び一体型装置１３０の構成について、図１３及び図１５を参照しながら説明する。
制御装置１１０及び一体型装置１３０は、論理モジュール４００、ディスクドライブモジュール３００、ＤＣ電源６００、ＡＣ−ＢＯＸ７００、バッテリ８００、ファン５００を筐体２００に収容して構成される。また制御装置１１０及び一体型装置１３０には、ストレージ装置１００を保守管理するオペレータによる操作入力を受け付けるためのオペレータパネル１１１が設けられている。
【００３９】
図１１を用いて説明したように、論理モジュール４００は筐体２００に着脱可能に収容されている。論理モジュール４００は、ストレージ装置１００の制御を行うための論理部４２０及び論理モジュールファン４１０を備えている。論理部４２０には論理基板（ディスクドライブに対するデータ入出力処理に関する制御を行うための制御ボード）４３０が着脱可能に整列されて収容されており、これによりストレージ装置１００の各種制御が行われる。論理部４２０に収容される論理基板４３０としては、例えばストレージ装置１００を記憶装置として利用する情報処理装置との間でデータ入出力のための通信を行うためのチャネルアダプタや、ディスクドライブ３１０に記憶されるデータに対する入出力処理を行うディスクアダプタや、情報処理装置との間で授受されるデータを記憶するためのキャッシュメモリなどである。なおこれらの論理基板４３０は、図１３又は図１１に示すように、全て同じ向きに並べて整列されるように論理部４２０内に収容されるだけでなく、例えば縦方向に整列される論理基板４３０と横方向に整列される論理基板４３０とが混在するように収容されるようにすることもできる。
【００４０】
論理モジュールファン４１０は論理部４２０内部の空気を排出する。これにより論理部４２０の内部を冷却することができる。詳細は後述するが、論理部４２０から排出された空気は筐体２００の内部に設けられているエアダクト（ダクト）２１０の内部を通って、ファン５００により制御装置１１０、一体型装置１３０の外部へ放出される。
【００４１】
またディスクドライブモジュール３００が、筐体２００に着脱可能に収容されている。ディスクドライブモジュール３００は、データを記憶するためのディスクドライブ３１０を収容している。ディスクドライブ３１０は、内部に記録媒体を備えたデータを記憶するための装置である。ディスクドライブ３１０としては、例えばハードディスク装置や半導体記憶装置等様々なものを採用することができる。図１３に示すように本実施の形態に係るディスクドライブモジュール３００には、ディスクドライブ３１０が８段に積層されて収容されている。これにより、本実施の形態に係るディスクドライブモジュール３００の高さを、論理モジュール４００の高さと略等しい大きさにすることができた。
【００４２】
ファン５００は制御装置１１０又は一体型装置１３０内部の空気を外部に排出する。これによりディスクドライブモジュール３００や論理モジュール４００で発生した熱を制御装置１１０や一体型装置１３０の外部へ放出することができる。なお詳細は後述するが、制御装置１１０及び一体型装置１３０は筐体２００の内部にエアダクト２１０を備え、筐体２００の中段に収容される論理モジュール４００の内部の空気は、エアダクト２１０の内部を通って、ファン５００により制御装置１１０及び一体型装置１３０の外部へ排出される。
【００４３】
筐体２００の下部（第３の収容部）には、ＤＣ電源６００、ＡＣ−ＢＯＸ７００、及びバッテリ８００（ＤＣ電源６００、ＡＣ−ＢＯＸ７００、及びバッテリ８００は電源部に相当する）が収容される。電源部は筐体２００に着脱可能に収容されている。ＤＣ電源６００は、交流電力を直流電力に変換し、論理モジュール４００及びディスクドライブ３１０に直流電力を供給するための電源装置を備える。論理モジュール４００やディスクドライブ３１０は、従来のストレージ装置１１００と同様に、それぞれ異なる電圧の直流電力により動作するが、本実施の形態においては、ＤＣ電源６００からは、定格電圧が同一の直流電力が論理モジュール４００やディスクドライブ３１０に対して供給される。そして、同一の電圧の電力供給を受けた論理モジュール４００やディスクドライブ３１０は、それぞれが内部に備える電圧変換装置（ＤＣ／ＤＣコンバータ）により、それぞれの電圧に変換するようにしている。
【００４４】
また、本実施の形態に係る制御装置１１０及び一体型装置１３０においては、ディスクドライブ３１０へ直流電力を供給するためのＤＣ電源６００が筐体２００の下段に収容されている。これにより、従来ディスクドライブモジュール１３００に収容されていたＤＣ電源１６００をディスクドライブモジュール１３００から無くすことができたため、本実施の形態に係るディスクドライブモジュール３００の幅と、論理モジュール４００の幅とを略等しくすることが可能となった。
【００４５】
バッテリ８００は停電時やＤＣ電源６００の異常時等に、制御装置１１０や一体型装置１３０の内部の各装置に電力を供給するための予備電源装置である。
ＡＣ−ＢＯＸ７００は、ストレージ装置１００に対する交流電力の取り入れ口であり、ブレーカとして機能する。ＡＣ−ＢＯＸ７００に取り入れられた交流電力はＤＣ電源６００に供給される。
【００４６】
このように本実施の形態に係る制御装置１１０や一体型装置１３０においては、電源部を筐体２００の下部に集約している。これにより制御装置１１０や一体型装置１３０の内部に交流電力のための配線を配索する必要がなくなった。
【００４７】
また論理モジュール４００やディスクドライブ３００の内部に電圧変換装置を備えるようにしたことにより、制御装置１１０や一体型装置１３０の内部に、電圧の異なる直流電力供給用配線を配索する必要がなくなった。これにより筐体２００内の配線配索が簡単化され、ストレージ装置１００の製造、保守、修理等の容易化及び安全性の向上を図ることができた。またノイズに対する影響を受けにくくすることができるため、ストレージ装置１００の信頼性を向上させることもできた。
【００４８】
その様子を図２５乃至図２８に示す。図２５及び図２６は従来の一体型装置１１３０において、電源モジュール１９００から論理モジュール１４００に複数の定格電圧の電力が供給される様子を示した図である。なお、図２５及び図２６は一体型装置１１３０の場合の例を示すが、制御装置１１１０についても同様である。
【００４９】
図２６に示すように、電源モジュール１９００から論理モジュール１４００への電力の供給は、電源モジュール用基板１９１０と論理モジュール用基板１４４０とをバスバー１６１０で接続することにより行われる。バスバー１６１０とは、電源モジュール１９００から論理モジュール１４００への電力供給用の金属板である。電源モジュール１９００から論理モジュール１４００へは大きな電力が供給されるため、通常のワイヤーハーネスでは通電許容量が不足する。そのためバスバー１６１０のような金属板を用いて電力の供給を行うようにしている。電源モジュール用基板１９１０は、電源モジュール補強板１９２０と共に一体型装置用筐体１２２０の上段の奥手側に配設されている。制御装置用筐体１２００の場合には前面側のみならず後面側にも同様に配設されている。電源モジュール１９００を一体型装置用筐体１２２０に収容すると、電源モジュール１９００に設けられている電気的コネクタが電源モジュール用基板１９１０に設けられている電気的コネクタと嵌合する。一方、論理モジュール用基板１４４０は、論理モジュール補強板１４５０と共に一体型装置用筐体１２２０の中段の奥手側に配設されている。制御装置用筐体１２００の場合には前面側のみならず後面側にも同様に配設されている。論理モジュール１４００を一体型装置用筐体１２２０に収容すると、論理モジュール１４００に設けられている電気的コネクタが論理モジュール用基板１４４０に設けられている電気的コネクタと嵌合する。このようにして、電源モジュール１９００と論理モジュール１４００とを相互に電気的に接続することができる。そして電源モジュール１９００から論理モジュール１４００に電力の供給を行うことができる。前述したように、従来は複数の電圧を論理モジュール１４００に供給する必要があった。そのため、図２６に示すように、電源モジュール用基板１９１０と論理モジュール用基板１４４０とを接続するバスバー１６１０の種類や数が多くなり、バスバー１６１０の配置には工夫が必要であった。図２６に示すように電源モジュール用基板１９１０と論理モジュール用基板１４４０との側面部にまでも長いバスバー１６１０を配置することが必要となる場合もあった。
【００５０】
図２５には、従来の一体型装置１１３０の内部において、電源モジュール１９００と論理モジュール１４００との間がバスバー１６１０により接続される様子を示す。図２５に示すように、従来の一体型装置１１３０では、電源モジュール１９００が一体型装置用筐体１２２０の上段に収容され、論理モジュール１４００が中段に収容されていた。そのため、電源モジュール１９００と論理モジュール１４００との間に論理モジュールファン１４１０が配置される位置関係となっていたため、論理モジュールファン１４１０を挟む分バスバー１６１０の長さも長くせざるを得なかった。
【００５１】
一方、本実施の形態に係る一体型装置１３０においては、ＤＣ電源６００が筐体２００の下段に収容され、論理モジュール４００が中段に収容される。本実施の形態に係る一体型装置１３０においてもＤＣ電源６００から論理モジュール４００への電力供給はバスバー６１０を用いて行われるが、図２７に示すように、ＤＣ電源６００を論理モジュール４００の下部に収容するようにしたことにより、論理モジュール４００とＤＣ電源６００との間に論理モジュールファン４１０が配置される位置関係にないようにすることができた。このためバスバー６１０の長さを短縮することができた。
【００５２】
また図２８に示すように、本実施の形態に係る一体型装置１３０においても、バスバー６１０により論理モジュール用基板４４０とＤＣ電源用基板９１０との間が接続される。そしてＤＣ電源用基板９１０は、ＤＣ電源補強板９２０と共に筐体２００の下段の奥手側に配設されている。前面側のみならず後面側にも同様に配設されている。そしてＤＣ電源６００を筐体２００に収容すると、ＤＣ電源６００に設けられている電気的コネクタとＤＣ電源用基板１９１０に設けられている電気的コネクタが嵌合する。一方、論理モジュール用基板４４０は、論理モジュール用補強板４５０と共に筐体２００の中段の奥手側に配設されている。前面側のみならず後面側にも同様に配設されている。そして論理モジュール４００を筐体２００に収容すると、論理モジュール４００に設けられている電気的コネクタと論理モジュール用基板４４０に設けられている電気的コネクタが嵌合する。このようにして、ＤＣ電源６００と論理モジュール４００とは相互に電気的に接続される。そしてＤＣ電源６００から論理モジュール４００に電力の供給が行われる。
【００５３】
図２７及び図２８に示すように、本実施の形態においてはバスバー６１０の数を従来に比べて減少させることができた。さらにバスバー６１０の長さを短くすることができた。これは、前述したように、本実施の形態に係るストレージ装置１００においては、ＤＣ電源６００から論理モジュール４００へ供給される直流電力の電圧を一種類にしたためと、ＤＣ電源６００を論理モジュール４００の下部に収容するようにしたためである。
【００５４】
次に本実施の形態に係る駆動装置１２０の構成について、図１３及び図１６を参照しながら説明する。
駆動装置１２０は、ディスクドライブモジュール３００、ＤＣ電源６００、ＡＣ−ＢＯＸ７００、バッテリ８００、ファン５００を筐体２００に収容して構成される。これらの各モジュール等は制御装置１１０や一体型装置１３０において用いられているものと同一である。本実施の形態に係るストレージ装置１００においては、制御装置１１０、駆動装置１２０、一体型装置１３０のいずれも共通の筐体２００を用いて構成される。そして駆動装置１２０においては、制御装置１１０において論理モジュール４００が収容されていた筐体２００の中段に、ディスクドライブモジュール３００を収容することができる。これは上述したように、本実施の形態においては、論理モジュール４００の高さ及び幅とディスクドライブモジュール３００の高さ及び幅をそれぞれ略等しくし、また筐体２００の上段と中段の高さ及び幅をそれぞれ略等しくできたためである。
【００５５】
ファン５００は、筐体２００の上段及び中段にそれぞれ収容されるディスクドライブモジュール３００の内部の空気を吸引し、駆動装置１２０の外部へ排出する。これにより、ディスクドライブモジュール３００に収容されるディスクドライブ３１０から発生する熱を駆動装置１２０の外部へ放出することが可能となる。なお、駆動装置１２０は筐体２００の内部にエアダクト２１０を備え、筐体２００の中段に収容されるディスクドライブモジュール３００の内部の空気は、エアダクト２１０の内部を通って、ファン５００により駆動装置１２０の外部へ排出される。
【００５６】
本実施の形態に係るストレージ装置１００の冷却構造について、図１７乃至図２４を参照しながら説明する。
まず、従来のストレージ装置１１００の冷却構造について図１７及び図１８を用いて説明する。図１７は従来のストレージ装置１１００の一体型装置１１３０の冷却構造を示す。図１８は従来のストレージ装置１１００の駆動装置１１２０の冷却構造を示す。図１７及び図１８に記載される矢印は冷却風の流れの様子を表す。他の図面でも同様である。制御装置１１１０の冷却構造については、一体型装置１１３０の論理部１４２０及び電源モジュール１９００における冷却構造と同様である。
【００５７】
一体型装置１１３０は、前面側に論理部１４２０、論理モジュールファン１４１０、電源モジュール１９００、バッテリ１８００、及びファン１５００が収容され、後面側にディスクドライブモジュール１３００、ＡＣ−ＢＯＸ１７００、ファン１５００が収容される。
【００５８】
一体型装置１１３０の前面側の冷却は、ファン１５００及び論理モジュールファン１４１０により、論理部１４２０及び電源モジュール１９００の内部の空気を一体型装置１１３０の外部へ排出することにより行われる。すなわち、論理モジュールファン１４１０により論理部１４２０の内部の空気が吸い上げられ、電源モジュール１９００の内部の空気と共にファン１５００により一体型装置１１３０の外部に排出される。
【００５９】
一体型装置１１３０の後面側の冷却は、ファン１５００によりディスクドライブモジュール１３００の内部の空気を一体型装置１１３０の外部へ排出することにより行われる。すなわち、ディスクドライブモジュール１３００内部の空気は、図１７に示すように、一体型装置用筐体１２２０の内部において、ディスクドライブモジュール１３００と論理モジュール１４００又は電源モジュール１９００との間に形成される空間を通ってファン１５００により一体型装置１１３０の外部へ排出される。
【００６０】
駆動装置１１２０の冷却は、図１８に示すように、一体型装置１１３０の後面側の冷却と同様である。すなわち図１８に示すように、駆動装置用筐体１２３０の内部において、前面側のディスクドライブモジュール１３００と後面側のディスクドライブモジュール１３００との間に形成される空間を通って、ディスクドライブモジュール１３００内部の空気がファン１５００により外部へ排出される。
【００６１】
次に、本実施の形態に係るストレージ装置１００の冷却構造について図１９乃至図２４を用いて説明する。図１９乃至図２１は、制御装置１１０又は一体型装置１３０の冷却構造を説明するための図である。図２２は、駆動装置１２０の冷却構造を説明するための図である。
【００６２】
本実施の形態に係る制御装置１１０又は一体型装置１３０は、ファン５００、ディスクドライブモジュール３００、論理部４２０、論理モジュールファン４１０、及び電源部（ＤＣ電源６００、ＡＣ−ＢＯＸ７００、バッテリ８００）を備える。そして、ファン５００及び論理モジュールファン４１０により、制御装置１１０又は一体型装置１３０の内部の空気を外部に排出して、これらを冷却する。その際、筐体２００の内部の空気は極力スムースに外部へ排出されることが冷却効率向上の観点から望ましい。本実施の形態に係る制御装置１１０及び一体型装置１３０では、上段にディスクドライブモジュール３００が収容され、中段に論理モジュール４００が収容され、下段に電源部が収容される。本実施の形態に係る制御装置１１０及び一体型装置１３０においては、このような配置により排気効率を向上させることが可能となった。
【００６３】
すなわち、図１９に示すように、筐体２００の上段に収容されるディスクドライブモジュール３００は、論理モジュール４００や電源部と比較して奥行きが短い。そのため、ディスクドライブモジュール３００を筐体に収容した場合に、前面側に収容されるディスクドライブモジュール３００と、後面側に収容されるディスクドライブモジュール３００との間に形成される空間を大きく確保することができる。これにより、ファン５００により吸引される冷却風の通風経路を大きく確保することができる。つまり効率良く筐体２００内部の空気を外部に排出することができる。
【００６４】
また、図１９に示すように、筐体２００の下段に収容される電源部は、ディスクドライブモジュール３００や論理モジュール４００と比べて奥行きが長い。そのため、仮に電源部を筐体２００の上段、あるいは中段に収容するようにした場合には、冷却風の通風経路が塞がれることになるが、本実施の形態に係る制御装置１１０及び一体型装置１３０においては、下段に電源部を収容するようにしたことにより、通風経路を塞ぐようなことにはならない。
【００６５】
また、筐体２００の中段に収容される論理モジュール４００は、上段に収容されるディスクドライブモジュール３００に比べると奥行きが短いが、下段に収容される電源部と比べると奥行きが短い。そのため、論理モジュール４００を筐体２００の中段に収容することにより筐体２００の上段には大きな通風経路を確保しつつ、中段にも通風経路のための空間を確保することが可能となる。なお論理モジュール４００は、ディスクドライブモジュール３００とは異なり、モジュール内を上下方向に通気可能な構造になっているので、図１９に示すように、前面側の論理モジュール４００と後面側の論理モジュール４００とを筐体２００の内部で接近して配置させるように収容することもできる。このようにすることにより、論理モジュールファン４１０により吸い上げられた電源部及び論理モジュール４００内部の空気を、筐体２００の上段の通風経路に効率良く送り込むことが可能となる。
【００６６】
図１９に示す冷却構造を採用した場合、筐体２００の上段における通風経路では、ディスクドライブモジュール３００からの冷却風と、論理モジュール４００からの冷却風とが合流する。冷却風が合流する際に冷却風の流れが乱れると、排気効率を低下させる要因となる。そこで冷却風が合流する際の乱れを抑制するための冷却構造を示した図を図２０に示す。すなわち、図２０に示すように整流フィン２１１を筐体２００内に配設するようにする。これによりディスクドライブモジュール３００からの冷却風と論理モジュール４００からの冷却風とが衝突する際の冷却風の乱れを抑制することができる。整流フィン２１１が配設される様子を示す図を図２３に示す。
【００６７】
しかし整流フィン２１１を用いたとしても、ディスクドライブモジュール３００からの冷却風と、論理モジュール４００からの冷却風とは、ファン５００に至るまでの間でいずれ合流する。そこで、ディスクドライブモジュール３００からの冷却風と、論理モジュール４００からの冷却風とを合流させないようにして排気効率をさらに高めるようにしたのが、図２１に示す冷却構造である。すなわち、図２１に示すように、筐体２００の内部にエアダクト２１０が配設されている。エアダクト２１０が配設される様子を示す図を図２４に示す。筐体２００内にエアダクト２１０を配設することにより、論理モジュール４００からの冷却風はエアダクト２１０の内部を通ってファン５００まで到達し、ディスクドライブモジュール３００からの冷却風はエアダクト２１０の外壁に沿ってファン５００まで到達する。これによりディスクドライブモジュール３００からの冷却風と論理モジュール４００からの冷却風とを合流させないようにすることが可能となる。このような構成により、制御装置１１０や一体型装置１３０の排気効率を一層高めることが可能となる。なお、エアダクト２１０の上部とファン５００との間は密着させずに、適宜離間させるようにすることが望ましい。密着させてしまうと、エアダクト２１０の内部の空気に対するファン５００による吸引力が弱くなるためである。
【００６８】
次に本実施の形態に係る駆動装置１２０における冷却構造を図２２に示す。
駆動装置１２０における冷却構造は、図２１に示した制御装置１１０や一体型装置１３０における冷却構造と同様、内部にエアダクト２１０を備えた構造をしている。制御装置１１０や一体型装置１３０における冷却構造と異なる点は、中段にディスクドライブモジュール３００が収容される点である。この場合、中段のディスクドライブモジュール３００からの冷却風がエアダクト２１０の内部を通って駆動装置１２０の外部へ排出される。また上段のディスクドライブモジュール３００からの冷却風はエアダクト２１０の外壁に沿って駆動装置１２０の外部へ排出される。このように駆動装置１２０においてもエアダクト２１０を筐体２００に配設することにより、上段のディスクドライブモジュール３００からの冷却風と中段及び下段のディスクドライブモジュール３００及び電源部からの冷却風とを合流させないように排出することが可能となる。これにより、駆動装置１２０においても、制御装置１１０や一体型装置１３０と同様に効率良く冷却を行うことが可能となる。
【００６９】
以上に説明したように本実施の形態に係るストレージ装置においては、制御装置、駆動装置、一体型装置を構成するための筐体を共通化することができた。これにより、ユーザのニーズに応じたストレージ装置の構成変更が容易に行えるようになった。また、ストレージ装置を製造する際に使用される部品も共通化され、製造容易化及びコスト低減を図ることもできた。
【００７０】
また電源部を筐体の下部に収容したことにより、筐体の内部に交流電力のための配線を配索する必要性を無くすことができた。また電源部から論理モジュールへ供給される直流電力の電圧を一種類にできたため、筐体の内部に異なる電圧の直流電力供給用の配線を配索する必要性を無くすことができた。これにより筐体内の配線配索が簡単化され、ストレージ装置の製造、保守、修理等の容易化及び安全性の向上を図ることができた。またノイズに対する影響を受けにくくすることができるため、ストレージ装置の信頼性を向上させることもできた。さらに電源部から論理モジュールへ電力を供給するために用いられるバスバーの種類と数を減らした上に、長さを短くすることができた。これによりストレージ装置を構成する部品点数を削減することができると共に、ストレージ装置の保守、修理の容易化、組み立て作業性の向上を実現することもできた。
【００７１】
以上本実施の形態について説明したが、上記実施例は本発明の理解を容易にするためのものであり、本発明を限定して解釈するためのものではない。本発明はその趣旨を逸脱することなく変更、改良され得ると共に、本発明にはその等価物も含まれる。
【００７２】
【発明の効果】
ストレージ装置用筐体及びストレージ装置を提供することができる。
【図面の簡単な説明】
【図１】従来のストレージ装置の外観構成を示す図である。
【図２】従来のストレージ装置の外観構成を示す図である。
【図３】従来のストレージ装置の制御装置の詳細な構成を示す図である。
【図４】従来のストレージ装置の駆動装置の詳細な構成を示す図である。
【図５】従来のストレージ装置の一体型装置の詳細な構成を示す図である。
【図６】従来のストレージ装置の制御装置と駆動装置とを比較するための図である。
【図７】従来のストレージ装置の制御部用ボックスとディスクドライブ用ボックスとを比較するための図である。
【図８】本実施の形態に係るストレージ装置の外観構成を示す図である。
【図９】本実施の形態に係るストレージ装置の外観構成を示す図である。
【図１０】本実施の形態に係るストレージ装置の詳細な構成を説明するための図である。
【図１１】本実施の形態に係るストレージ装置の制御装置に制御部用ボックスが収容される様子を示すための図である。
【図１２】本実施の形態に係るストレージ装置の駆動装置にディスクドライブ用ボックスが収容される様子を示すための図である。
【図１３】本実施の形態に係るストレージ装置の制御装置と駆動装置とを比較するための図である。
【図１４】本実施の形態に係るストレージ装置の制御部用ボックスとディスクドライブ用ボックスとを比較するための図である。
【図１５】本実施の形態に係るストレージ装置の制御装置の詳細な構成を示す図である。
【図１６】本実施の形態に係るストレージ装置の駆動装置の詳細な構成を示す図である。
【図１７】従来のストレージ装置の制御装置の冷却構造を説明するための図である。
【図１８】従来のストレージ装置の駆動装置の冷却構造を説明するための図である。
【図１９】本実施の形態に係るストレージ装置の制御装置の冷却構造を説明するための図である。
【図２０】本実施の形態に係るストレージ装置の制御装置の冷却構造を説明するための図である。
【図２１】本実施の形態に係るストレージ装置の制御装置の冷却構造を説明するための図である。
【図２２】本実施の形態に係るストレージ装置の駆動装置の冷却構造を説明するための図である。
【図２３】本実施の形態に係るストレージ装置が備える整流体を示す図である。
【図２４】本実施の形態に係るストレージ装置が備える整流体を示す図である。
【図２５】従来のストレージ装置が備えるバスバーを説明するための図である。
【図２６】従来のストレージ装置が備えるバスバーを説明するための図である。
【図２７】本実施の形態に係るストレージ装置が備えるバスバーを説明するための図である。
【図２８】本実施の形態に係るストレージ装置が備えるバスバーを説明するための図である。
【符号の説明】
１００    ストレージ装置        １１０    制御装置
１２０    駆動装置              １３０    一体型装置
２００    筐体                  ２１０    エアダクト
２１１    整流フィン            ３００    ディスクドライブモジュール
４００    論理モジュール        ４１０    論理モジュールファン
４２０    論理部                ４３０    論理基板
４４０    論理モジュール用基板  ４５０    論理モジュール用補強板
５００    ファン                ６００    ＤＣ電源
６１０    バスバー              ７００    ＡＣ−ＢＯＸ
８００    バッテリ              ９１０    ＤＣ電源用基板
９２０    ＤＣ電源補強板        １１００  ストレージ装置
１１１０  制御装置              １１２０  駆動装置
１１３０  一体型装置            １２００  制御装置用筐体
１２１０  駆動装置用筐体        １２２０  一体型装置用筐体
１３００  ディスクドライブモジュール
１４００  論理モジュール        １４１０  論理モジュールファン
１４２０  論理部                １４３０  論理基板
１４４０  論理モジュール用基板  １４５０  論理モジュール補強板
１５００  ファン                １６００  ＤＣ電源
１６１０  バスバー              １７００  ＡＣ−ＢＯＸ
１８００  バッテリ              １９００  電源モジュール
１９１０  電源モジュール用基板  １９２０  電源モジュール補強板
【図１】
2005011405.tif 000003
【図２】
2005011405.tif 000004
【図３】
2005011405.tif 000005
【図４】
2005011405.tif 000006
【図５】
2005011405.tif 000007
【図６】
2005011405.tif 000008
【図７】
2005011405.tif 000009
【図８】
2005011405.tif 000010
【図９】
2005011405.tif 000011
【図１０】
2005011405.tif 000012
【図１１】
2005011405.tif 000013
【図１２】
2005011405.tif 000014
【図１３】
2005011405.tif 000015
【図１４】
2005011405.tif 000016
【図１５】
2005011405.tif 000017
【図１６】
2005011405.tif 000018
【図１７】
2005011405.tif 000019
【図１８】
2005011405.tif 000020
【図１９】
2005011405.tif 000021
【図２０】
2005011405.tif 000022
【図２１】
2005011405.tif 000023
【図２２】
2005011405.tif 000024
【図２３】
2005011405.tif 000025
【図２４】
2005011405.tif 000026
【図２５】
2005011405.tif 000027
【図２６】
2005011405.tif 000028
【図２７】
2005011405.tif 000029
【図２８】
2005011405.tif 000030